(57)【要約】【課題】制御ボックスが盗難などの被害にあって本体ボックスから分離された場合に、記憶部に記憶された重要な情報が外部に漏れることを防止することができる制御装置およびこのような制御装置２４を備えた遊技媒体貸出機を提供する。【解決手段】制御ボックス２７は、本体ボックス２８に脱着可能に収容されるものであり、制御装置２４は、記憶部２６とこの記憶部２６に電力を供給する電源２６ａとの間にスイッチ装置２９を備え、スイッチ装置２９は、制御ボックス２７が装置本体の本体ボックス２８に装着された状態で、電源２６ａから記憶部２６に対して電力を供給する電力供給姿勢と、制御ボックス２７が装置本体の本体ボックス２８から分離された状態で、電源２６ａから記憶部２６に対して供給される電力を停止する電力停止姿勢との間で姿勢変更可能に構成されている。【選択図】図３
2007135890.tif 000002
【特許請求の範囲】
【請求項１】
装置本体を制御する制御部と、
この制御部の制御に係る情報を記憶する記憶部と、
これら制御部と記憶部とを収容する制御ボックスと、
を備えた制御装置であって、
上記制御ボックスは、装置本体の本体ボックスに脱着可能に収容されるものであり、
上記制御装置は、記憶部とこの記憶部に電力を供給する電源との間にスイッチ装置を備え、
上記スイッチ装置は、制御ボックスが装置本体の本体ボックスに装着された状態で、電源から記憶部に対して電力を供給する電力供給姿勢と、制御ボックスが装置本体の本体ボックスから分離された状態で、電源から記憶部に対して供給される電力を停止する電力停止姿勢との間で姿勢変更可能に構成されていることを特徴とする制御装置。
【請求項２】
上記記憶部に電力を供給する電源は、上記制御ボックスに収容されていることを特徴とする請求項１に記載の制御装置。
【請求項３】
遊技媒体を払い出す遊技媒体払出部と、
この遊技媒体払出部を制御する制御部、この制御部の制御に係る情報を記憶する記憶部、および上記制御部と記憶部とを収容する制御ボックスを有する制御装置と、
を備えた遊技媒体貸出機であって、
上記制御ボックスは、遊技媒体貸出機の本体ボックスに脱着可能に収容されるものであり、
上記制御装置は、記憶部とこの記憶部に電力を供給する電源との間にスイッチ装置を備え、
上記スイッチ装置は、制御ボックスが本体ボックスに装着された状態で、電源から記憶部に対して電力を供給する電力供給姿勢と、制御ボックスが本体ボックスから分離された状態で、電源から記憶部に対して供給される電力を停止する電力停止姿勢との間で姿勢変更可能に構成されていることを特徴とする遊技媒体貸出機。
【請求項４】
上記記憶部に電力を供給する電源は、上記制御ボックスに収容されていることを特徴とする請求項３に記載の遊技媒体貸出機。
【請求項５】
紙幣を受け入れる紙幣受け入れ口を有して受け入れた紙幣を識別可能な紙幣識別装置を備え、
上記制御部は、この紙幣識別装置をさらに制御するものであり、
上記記憶部は、紙幣識別装置の制御に係る情報を記憶するものであることを特徴とする請求項３または請求項４のいずれかに記載の遊技媒体貸出機。
【請求項６】
情報媒体を受け入れる情報媒体受け入れ口と、この情報媒体受け入れ口から受け入れた情報媒体に情報を読み書き可能な情報媒体読み込み書き込み部とを有する情報媒体処理装置を備え、
上記制御部は、この情報媒体処理装置をさらに制御するものであり、
上記記憶部は、情報媒体処理装置の制御に係る情報を記憶するものであることを特徴とする請求項３ないし請求項５のいずれかに記載の遊技媒体貸出機。
【発明の詳細な説明】
【技術分野】
【０００１】
本発明は、制御装置と制御装置を備えた遊技媒体貸出機とに関するものである。
【背景技術】
【０００２】
例えばゲームセンターのスロットマシンなどの遊技機に併設され遊技媒体を貸し出す遊技媒体貸出機は、遊技媒体を払い出す遊技媒体払出部と、この遊技媒体払出部を制御する制御装置とを備えている。
【０００３】
このような、制御装置を備えた遊技媒体貸出機として、例えば、特許文献１には、回動可能な保持回動体の円周上の位置にＩＣコインを保持可能な複数の保持部を形成するとともに、この保持部の回転軌跡上の所定位置にＩＣコインと非接触状態で通信を行う通信手段を対設し、これらの装置を制御する制御部を本体ボックス内に収容した遊技機用台間機の技術が開示されている。
【特許文献１】特開２００１−３２７７４７号公報
【発明の開示】
【発明が解決しようとする課題】
【０００４】
しかしながら、上述の特許文献１に開示された遊技機用台間機のような遊技媒体貸出機の場合、一般に制御部と制御部の制御に係る情報を記憶する記憶部とが一つの制御ボックスに収容されるので、この制御ボックスが盗難などの被害にあった場合には、記憶部に記憶された店舗情報、管理情報などの特定情報を含む重要な情報が外部に漏れてしまうという問題があった。
【０００５】
本発明は上記不具合に鑑みてなされたものであり、制御ボックスが盗難などの被害にあって装置本体の本体ボックスから分離された場合に、これらの情報が外部に漏れることを防止することができる制御装置およびこのような制御装置を備えた遊技媒体貸出機を提供することを課題としている。
【課題を解決するための手段】
【０００６】
上記課題を解決するための本発明に係る制御装置は、装置本体を制御する制御部と、この制御部の制御に係る情報を記憶する記憶部と、これら制御部と記憶部とを収容する制御ボックスと、を備えた制御装置であって、上記制御ボックスは、装置本体の本体ボックスに脱着可能に収容されるものであり、上記制御装置は、記憶部とこの記憶部に電力を供給する電源との間にスイッチ装置を備え、上記スイッチ装置は、制御ボックスが装置本体の本体ボックスに装着された状態で、電源から記憶部に対して電力を供給する電力供給姿勢と、制御ボックスが装置本体の本体ボックスから分離された状態で、電源から記憶部に対して供給される電力を停止する電力停止姿勢との間で姿勢変更可能に構成されていることを特徴とする制御装置である。
【０００７】
本発明に係る制御装置によれば、制御装置の記憶部とこの記憶部に電力を供給する電源との間に設けられたスイッチ装置が、制御ボックスが装置本体の本体ボックスに装着された状態で電源から記憶部に対して電力を供給する一方、制御ボックスが装置本体の本体ボックスから分離された状態で、電源から記憶部に対して供給される電力を停止するので、制御ボックスが盗難の被害にあうなど装置本体の本体ボックスから分離された場合には、記憶部に電力が停止される結果、店舗情報、管理情報などの特定情報を含む重要な情報の記憶を消失させてこれらの情報が外部に漏れることを防止することができる。
【０００８】
ここで、上記記憶部に電力を供給する電源は、上記制御ボックスに収容されていることが好ましい。
【０００９】
このようにすれば、記憶部に対して制御ボックスの外部から電力の供給を受ける必要がないので、制御装置を制御ボックスが置かれた環境とは無関係に独立して扱うことができるようになる。また、制御ボックスの環境を簡単な構成にすることができるようになる。
【００１０】
次に、上記課題を解決するための本発明に係る遊技媒体貸出機は、遊技媒体を払い出す遊技媒体払出部と、この遊技媒体払出部を制御する制御部、この制御部の制御に係る情報を記憶する記憶部、および上記制御部と記憶部とを収容する制御ボックスを有する制御装置とを備えた遊技媒体貸出機であって、上記制御ボックスは、遊技媒体貸出機の本体ボックスに脱着可能に収容されるものであり、上記制御装置は、記憶部とこの記憶部に電力を供給する電源との間にスイッチ装置を備え、上記スイッチ装置は、制御ボックスが本体ボックスに装着された状態で、電源から記憶部に対して電力を供給する電力供給姿勢と、制御ボックスが本体ボックスから分離された状態で、電源から記憶部に対して供給される電力を停止する電力停止姿勢との間で姿勢変更可能に構成されていることを特徴とする遊技媒体貸出機である。
【００１１】
本発明に係る遊技媒体貸出機によれば、記憶部とこの記憶部に電力を供給する電源との間に設けられたスイッチ装置が、制御ボックスが装置本体の本体ボックスに装着された状態で、電源から記憶部に対して電力を供給する一方、制御ボックスが装置本体の本体ボックスから分離された状態で、電源から記憶部に対して供給される電力を停止するので、制御ボックスが盗難の被害にあうなど装置本体の本体ボックスから分離された場合には、記憶部に電力が停止される結果、店舗情報、管理情報などの特定情報を含む重要な情報の記憶を消失させてこれらの情報が外部に漏れることを防止することができる。
【００１２】
ここで、上記記憶部に電力を供給する電源は、上記制御ボックスに収容されていることが好ましい。
【００１３】
このようにすれば、遊技媒体貸出機の制御装置において、記憶部に対して制御ボックスの外部から電力の供給を受ける必要がないので、制御装置を制御ボックスが置かれた環境とは無関係に独立して扱うことができるようになる。また、制御ボックスの環境を簡単な構成にすることができるようになる。
【００１４】
また、この遊技媒体貸出機は、紙幣を受け入れる紙幣受け入れ口を有して受け入れた紙幣を識別可能な紙幣識別装置を備え、上記制御部は、この紙幣識別装置をさらに制御するものであり、上記記憶部は、紙幣識別装置の制御に係る情報を記憶するものであることが好ましい。
【００１５】
このようにすれば、遊技媒体貸出機が、紙幣識別装置を備え、制御部が、この紙幣識別装置をさらに制御するものであり、記憶部が、紙幣識別装置の制御に係る情報を記憶するものであるので、遊技媒体貸出機の制御ボックスが盗難の被害にあうなど装置本体の本体ボックスから分離された場合には、記憶部に電力が停止される結果、記憶部に記憶された紙幣識別装置の制御に係る重要な情報の記憶を消失させてこれらの情報が外部に漏れることを防止することができる。
【００１６】
また、この遊技媒体貸出機は、情報媒体を受け入れる情報媒体受け入れ口と、この情報媒体受け入れ口から受け入れた情報媒体に情報を読み書き可能な情報媒体読み込み書き込み部とを有する情報媒体処理装置を備え、上記制御部は、この情報媒体処理装置をさらに制御するものであり、上記記憶部は、情報媒体処理装置の制御に係る情報を記憶するものであることが好ましい。
【００１７】
このようにすれば、遊技媒体貸出機が、情報媒体処理装置を備え、制御部が、この情報媒体処理装置をさらに制御するものであり、記憶部が、情報媒体処理装置の制御に係る情報を記憶するものであるので、遊技媒体貸出機の制御ボックスが盗難の被害にあうなど装置本体の本体ボックスから分離された場合には、記憶部に電力が停止される結果、記憶部に記憶された情報媒体処理装置の制御に係る重要な情報の記憶を消失させてこれらの情報が外部に漏れることを防止することができる。
【発明の効果】
【００１８】
以上説明したように、本発明に係る制御装置および遊技媒体貸出機によれば、制御ボックスが盗難の被害にあうなど装置本体の本体ボックスから分離された場合には、記憶部に電力が停止される結果、店舗情報、管理情報などの特定情報を含む重要な情報の記憶を消失させてこれらの情報が外部に漏れることを防止することができるという顕著な効果を奏する。
【発明を実施するための最良の形態】
【００１９】
以下、添付図面を参照しながら本発明の好ましい実施の一形態について詳述する。図１は、本発明の実施の形態に係る遊技媒体貸出機２０の構成を示す斜視図であり、図２は、遊技媒体貸出機２０の制御の構成を示すブロック図である。
【００２０】
図１に示すように、本発明の実施の形態に係る遊技媒体貸出機２０は、例えばゲームセンターのスロットマシンなどの遊技機に併設され、ＩＣタグを担持したＩＣコインからなる情報媒体１と交換に図略の遊技媒体を貸し出す直方体状の装置であり、情報媒体１に情報を読み書き可能なＩＣコインリーダーライター部５（情報媒体読み込み書き込み部に相当するもので情報媒体処理装置１０の中に内蔵されている）を有する情報媒体処理装置１０と、遊技媒体を払い出す遊技媒体払出部２１と、遊技媒体払出部２１が遊技媒体を１バッチ分だけ払い出すように要求する遊技媒体払い出しボタン２２と、遊技を終了して情報媒体１の返却を要求する精算ボタン２３と、紙幣３を識別可能な紙幣識別装置３０とを備えている。
【００２１】
また、この遊技媒体貸出機２０は、制御装置２４を備えており、この制御装置２４は、図２に示すように、これら遊技媒体払い出しボタン２２の信号と、精算ボタン２３の信号とを受信するとともに情報媒体処理装置１０と、遊技媒体払出部２１と、紙幣識別装置３０とを制御する制御部２５と、この制御部２５の制御に係る情報を記憶する記憶部２６と、これら制御部２５と記憶部２６とを収容する制御ボックス２７と、記憶部２６とこの記憶部２６に電力を供給する電源２６ａとの間に設けられたスイッチ装置２９とを有している。
【００２２】
ここで、上記制御ボックス２７は、図３に示すように遊技媒体貸出機２０の本体ボックス２８に脱着可能に収容されており、この制御ボックス２７の記憶部２６の記憶を維持する電源２６ａは、制御ボックス２７に収容されている。
【００２３】
図３は、制御装置２４のスイッチ装置２９の姿勢を示す平面図であり、（ａ）は、制御ボックス２７が本体ボックス２８に装着された状態で、電源２６ａから記憶部２６に対して電力を供給する電力供給姿勢を、（ｂ）は、制御ボックス２７が本体ボックス２８から分離された状態で、電源２６ａから記憶部２６に対して供給される電力を停止する電力停止姿勢を、それぞれ示している。このようにスイッチ装置２９は、付勢部材２９ａで回路から離脱するように付勢されるプローブ２９ｂとスイッチ片２９ｃとを有するスイッチで構成され、電力供給姿勢（ａ）と、電力停止姿勢（ｂ）との間で姿勢変更可能に構成されている。
【００２４】
上記情報媒体処理装置１０は、情報媒体１を受け入れる情報媒体受け入れ口４と、情報媒体１に記憶された情報を読み込み書き込み可能なＩＣコインリーダーライター部５（情報媒体読み込み書き込み部に相当するもので情報媒体処理装置１０の中に内蔵されている）と、情報を書き込んだ情報媒体１が排出される排出部６と、受け入れた情報媒体１を一時保留可能なＩＣコイン保留部７（情報媒体処理装置１０の中に内蔵されている）とを備えている。
【００２５】
上記情報媒体１は、いわゆるＩＣタグをその構造中に担持してなるコイン状の情報を記憶した情報媒体であり、このＩＣタグにコインの価値に係る情報を記録することが可能になっている。そして、遊技場において、貨幣の代用として図略の遊技媒体と交換することができる。本実施形態においては、この情報媒体１は、スロットマシンの遊技媒体である図略のメダルと交換され、このメダルを遊技媒体貸出機２０に隣接する図外の遊技機に投入することにより利用者はスロットマシンの遊技を行うことができるようになる。
【００２６】
上記情報媒体受け入れ口４は、情報媒体１を情報媒体処理装置１０に受け入れるためのスリット状の開口である。
【００２７】
上記ＩＣコインリーダーライター部５は、ここで情報媒体１を一時留め置き、この位置で電磁気的な通信手段により情報媒体１と非接触状態で通信を行うものである。
【００２８】
このＩＣコインリーダーライター部５は、情報媒体１にコインの価値の残高に係る情報を電磁気的に読み書きすることができるようになっている。
【００２９】
上記排出部６は、コＩＣコイン保留部７からの釣銭の代替品としての情報媒体１を利用者に返却するために用いられる開口であり、ＩＣコインリーダーライター部５で残高の情報が書き込まれた情報媒体１を利用者に返却する。
【００３０】
また、この排出部６は、不良情報媒体を返却するためにも用いられるようになっている。
【００３１】
上記ＩＣコイン保留部７は、残高がない情報媒体１を図外の情報媒体回収部へ回収する前に一時保留するためのものである。また、このＩＣコイン保留部７は、紙幣３を受け入れた時の釣銭の代替品として、残高を書き込んだ情報媒体１を利用者に返却するために情報媒体１を少なくとも１個は、あらかじめ保留することができるようになっている。
【００３２】
そして、このＩＣコイン保留部７は、紙幣識別装置３０に紙幣３の受け入れがあった場合、遊技の終了に際して、ＩＣコイン保留部７に保持された釣銭の代替品としての情報媒体１を、ＩＣコイン保留部７からＩＣコインリーダーライター部５へと押し出すことができるようになっている。
【００３３】
上記遊技媒体払出部２１は、情報媒体１もしくは紙幣３の受け入れに基づいて、遊技媒体を利用者に供給するための供給装置である。本実施形態では、遊技媒体払出部２１は、図外の遊技媒体貯留部から遊技媒体を受け入れるとともに、ノズルシュート２１ａから払い出すように構成されている。
【００３４】
上記遊技媒体払い出しボタン２２は、遊技媒体払出部２１が遊技媒体を払い出すように要求する遊技媒体払い出し要求信号を制御部２５に対して発生させるものであり、情報媒体１もしくは紙幣３の受け入れの後、この遊技媒体払い出しボタン２２が押されて遊技媒体払い出し要求信号を発生させると、遊技媒体払出部２１が所定の１バッチ分だけ遊技媒体を払い出すようになっている。
【００３５】
上記精算ボタン２３は、遊技を終了して情報媒体１の返却を要求する情報媒体返却要求信号を発生させるものである。
【００３６】
上記紙幣識別装置３０は、紙幣３の真偽と金種判定を光学センサーや磁気センサー等の識別センサーからの情報によって識別することができるように構成された装置であり、紙幣３を受け入れるためのスリット状の開口である紙幣受け入れ口３１を有している。
【００３７】
上記制御部２５は、情報媒体処理装置１０と、遊技媒体払出部２１と、紙幣識別装置３０とを制御する論理演算回路であり、本実施形態では、マイクロコンピュータで構成されている。
【００３８】
上記記憶部２６は、上述の制御部２５の制御に係る情報を記憶するものであり、Ｓ−ＲＡＭなど、電力が供給されないと記憶されていた情報が消失する記憶装置で構成されている。
【００３９】
次に図１と図２とを参照して、本発明の実施の形態に係る遊技媒体貸出機２０の制御部２５の制御と作用について説明する。
【００４０】
遊技媒体貸出機２０の制御部２５が行う所定の制御は、次の通りである。以下、遊技媒体貸出機２０において情報媒体処理装置１０の情報媒体受け入れ口４から情報媒体１が受け入れられた場合と、紙幣識別装置３０において紙幣受け入れ口３１から遊技媒体貸出機２０に紙幣３が受け入れられた場合について説明する。
【００４１】
まず、情報媒体受け入れ口４から情報媒体１が受け入れられた場合は、次の通りである。
【００４２】
すなわち、情報媒体１が受け入れられた後、遊技媒体払い出しボタン２２において遊技媒体払い出し要求信号が発生すると、そのつど記憶部２６に記憶されたコインの価値に係る情報が確認され、この残高が遊技媒体の払い出しに足る間は、所定枚数の遊技媒体が遊技媒体払出部２１から払い出される。そして、記憶部２６に記憶されたコインの価値の残高は、払い出した遊技媒体の価額に相当する分だけ減額されていく。
【００４３】
また、遊技の終了に際して、利用者によって精算ボタン２３が押され、情報媒体返却要求信号が発生したならば、これに対応して、ＩＣコインリーダーライター部５が、コインの価値の残高に係る情報を情報媒体１に書き込み、価値の残高の情報が書き込まれた情報媒体１が重力で下方に設けられた排出部６から排出されて、利用者に返却される。
【００４４】
なお、図５に示した情報媒体１の留め置きの段階で、コインの価値の残高がもし０以下になったならば、ＩＣコインリーダーライター部５からＩＣコイン保留部７に情報媒体１を回収する。
【００４５】
また、ＩＣコイン保留部７が満杯になった場合は、余剰の情報媒体１を図外の情報媒体回収部へ回収し、貯留する。
【００４６】
次に、紙幣識別装置３０において紙幣受け入れ口３１から遊技媒体貸出機２０に紙幣３が受け入れられた場合は以下の通りである。
【００４７】
すなわち、紙幣３が受け入れられた後、紙幣識別装置３０がイメージスキャニングなどの画像処理により受け入れた紙幣３の価額を識別し、識別した紙幣３の価値に係る情報が、記憶部２６に記憶される。
【００４８】
この状態で、遊技媒体払い出しボタン２２における遊技媒体払い出し要求信号が発生したら、記憶部２６に記憶された価値に係る情報を確認し、この価値の残高が遊技媒体の払い出しに足る間は、情報媒体１が受け入れられた場合と同様に、遊技媒体払い出し要求信号が発生する度に、所定枚数の遊技媒体を遊技媒体払出部２１から払い出す。
【００４９】
また、記憶部２６に記憶された価値の残高を払い出した遊技媒体の価額に相当する分だけ減額する。
【００５０】
そして、紙幣３が受け入れられた場合であっても、遊技の終了に際して、利用者によって精算ボタン２３が押され、情報媒体返却要求信号が発生したならば、これに対応して、ＩＣコイン保留部７に保留された情報媒体１の１つをＩＣコインリーダーライター部５に排出し、残高の情報を書き込んで排出部６から利用者に返却する。
【００５１】
このように、遊技媒体貸出機２０により情報媒体１または紙幣３が、貨幣の代用として遊技媒体であるメダルと交換される。そして、このメダルを遊技媒体貸出機２０に隣接する図略の遊技機に投入することにより利用者はスロットマシンなどの遊技を行うことができるようになる。
【００５２】
そして、盗難などにより、制御ボックス２７が、図３（ｂ）に示すように遊技媒体貸出機２０の本体ボックス２８から分離された場合には、スイッチ装置２９が、電源２６ａから記憶部２６に対して供給される電力を停止する電力停止姿勢となって記憶部２６に記憶されていた情報が消失する。
【００５３】
以上説明したように、本発明の実施の形態に係る遊技媒体貸出機２０によれば、記憶部２６とこの記憶部２６に電力を供給する電源２６ａとの間に設けられたスイッチ装置２９が、制御ボックス２７が装置本体の本体ボックス２８に装着された状態で、電源２６ａから記憶部２６に対して電力を供給する一方、制御ボックス２７が装置本体の本体ボックス２８から分離された状態で、電源２６ａから記憶部２６に対して供給される電力を停止するので、制御ボックス２７が盗難の被害にあうなど装置本体の本体ボックス２８から分離された場合には、記憶部２６に電力が停止される結果、店舗情報、管理情報などの特定情報を含む重要な情報の記憶を消失させてこれらの情報が外部に漏れることを防止することができる。
【００５４】
また、遊技媒体貸出機２０によれば、遊技媒体貸出機２０の制御装置２４において、記憶部２６に対して制御ボックス２７の外部から電力の供給を受ける必要がないので、制御ボックス２７を制御ボックス２７が置かれた環境とは無関係に独立して扱うことができるようになる。また、制御ボックス２７の環境を簡単な構成にすることができるようになる。
【００５５】
さらに、遊技媒体貸出機２０が、紙幣識別装置３０を備え、制御部２５が、この紙幣識別装置３０をさらに制御するものであり、記憶部２６が、紙幣識別装置３０の制御に係る情報を記憶するものであるので、遊技媒体貸出機２０の制御ボックス２７が盗難の被害にあうなど装置本体の本体ボックス２８から分離された場合には、記憶部２６に電力が停止される結果、記憶部２６に記憶された紙幣識別装置３０の制御に係る重要な情報の記憶を消失させてこれらの情報が外部に漏れることを防止することができる。
【００５６】
また、遊技媒体貸出機２０が、情報媒体処理装置１０を備え、制御部２５が、この情報媒体処理装置１０をさらに制御するものであり、記憶部２６が、情報媒体処理装置１０の制御に係る情報を記憶するものであるので、遊技媒体貸出機２０の制御ボックス２７が盗難の被害にあうなど装置本体の本体ボックス２８から分離された場合には、記憶部２６に電力が停止される結果、記憶部２６に記憶された情報媒体処理装置１０の制御に係る重要な情報の記憶を消失させてこれらの情報が外部に漏れることを防止することができる。
【００５７】
上述した実施の形態は本発明の好ましい具体例を例示したものに過ぎず、本発明は上述した実施の形態に限定されない。
【００５８】
例えば、本発明の実施の形態に係る遊技媒体貸出機２０は、スロットマシンなどの遊技機に併設されるものに限らない。パチンコ、その他ゲームセンターの遊技機に併設することが可能であるし、また遊戯媒体精算機に適用することも可能である。
【００５９】
また、本実施形態においては、情報媒体１は、遊技媒体としてのメダルと交換されるようになっているが、遊技媒体の構成は本発明を限定するものではなく、ボール、チップ、パチンコ玉、その他どのような遊技媒体も採用可能である。
【００６０】
本実施形態においては、ＩＣコイン保留部７は、釣銭の代替品として残高の情報を書き込み可能な情報媒体１を情報媒体処理装置１０内にあらかじめ保留することができるようになっているが、紙幣３を受け入れた場合、情報媒体１の代わりに現金で釣銭を返却するように構成することも可能である。
【００６１】
また、本実施形態においては、紙幣３の真偽と金種判定を光学センサーや磁気センサー等の識別センサーからの情報によって識別することができる紙幣識別装置３０を備えているが、紙幣識別装置３０は必ずしも必須でなく、情報媒体１だけを受け入れるように構成してもよい。
【００６２】
また、スイッチ装置２９は、図３に示すような付勢部材２９ａで回路から離脱するように付勢されるプローブ２９ｂとスイッチ片２９ｃとを有するものである。必要はない。例えば図４は、制御ボックス２７が本体ボックス２８から分離された状態で回路が切断されるように構成された変形例に係るスイッチ装置２９ｄを示す平面図であり、（ａ）は、制御ボックス２７が本体ボックス２８に装着された状態で、電源２６ａから記憶部２６に対して電力を供給する電力供給姿勢を、（ｂ）は、制御ボックス２７が本体ボックス２８から分離された状態で、電源２６ａから記憶部２６に対して供給される電力を停止する電力停止姿勢を、それぞれ示している。このように、スイッチ装置２９は、種々の設計変更が可能である。
【００６３】
その他、本発明の特許請求の範囲内で種々の設計変更が可能であることはいうまでもない。
【図面の簡単な説明】
【００６４】
【図１】本発明の実施の形態に係る遊技媒体貸出機の構成を示す斜視図である。
【図２】遊技媒体貸出機の制御の構成を示すブロック図である。
【図３】スイッチ装置の姿勢を示す平面図であり、（ａ）は、制御ボックスが本体ボックスに装着された状態で、電源から記憶部に対して電力を供給する電力供給姿勢を、（ｂ）は、制御ボックスが本体ボックスから分離された状態で、電源から記憶部に対して供給される電力を停止する電力停止姿勢を、それぞれ示している。
【図４】変形例に係るスイッチ装置を示す平面図であり、（ａ）は、制御ボックスが本体ボックスに装着された状態で、電源から記憶部に対して電力を供給する電力供給姿勢を、（ｂ）は、制御ボックスが本体ボックスから分離された状態で、電源から記憶部に対して供給される電力を停止する電力停止姿勢を、それぞれ示している。
【符号の説明】
【００６５】
１      情報媒体
３      紙幣
４      情報媒体受け入れ口
５      情報媒体リーダーライター部（情報媒体読み込み書き込み部）
１０    情報媒体処理装置
２０    遊技媒体貸出機
２１    遊技媒体払出部
２４    制御装置
２５    制御部
２６    記憶部
２６ａ  電源
２７    制御ボックス
２８    本体ボックス
２９    スイッチ装置
３０    紙幣識別装置
３１    紙幣受け入れ口
【図１】
2007135890.tif 000003
【図２】
2007135890.tif 000004
【図３】
2007135890.tif 000005
【図４】
2007135890.tif 000006